(57)【要約】  【課題】    水泳プールの殺菌管理の目的にて循環式にて給排水の必要性に基付き循環排水穴口を施すために在来構造として直接に溜水部と排水穴口を直結した構造であるがために水圧の影響により排水穴口付近は吸着力が強力なために水泳人に危険性が免れず障害に関わる様な事故も発生する様な事態も起こり得るのを善処改良することが課題とされていた。  【解決手段】  上記に記載の課題である危険性を改善するために溜水部と排水穴口との間に間接空間部分を設置し、前面に排水吸着力緩和目的の排水通過有孔パネル板を取付け循環排水力を維持し乍ら排水吸着力を拡散する工法により排水吸着力を和らげて水泳人に対する危険性を改善解消して管理監視人にも安心感を提供する事が可能となる。【選択図】    図１
2008303560.tif 000002
【特許請求の範囲】
【請求項１】
水泳プールの循環排水穴口にての集中排水力を緩和目的として排水口付近の壁面に開口部を施して、其の開口部前面に吸水力分散孔を有する広めのパネル板を設けた間接空間構造を設置した、循環排水吸着力分散性排水口構造工法。
【請求項２】
水泳プール構造がＲＣ造の場合にても鋼鈑製又はセラミックス製及びアルミ又は樹脂製のユニット系等各種構造にても適応使用可能とする、前面開口部に吸水力分散孔を有する広めのパネル板を設けた間接空間構造を設置した、循環排水吸着力分散性排水口構造工法。
【発明の詳細な説明】
【技術分野】
【０００１】
在来水泳プールの循環排水目的として集中的に小範囲にて排水口を設けるために排水吸着力が強力なために危険性が社会的に大きな問題と成っているのを解決する目的として排水穴口パイプに直結排水構造を避けて間接的に空間を設置して溜水部と排水穴口との間に距離を設ける目的として、プール壁面に吸着力分散目的とした開口部を設け、其の開口部に排水通過孔を加工したパネル板を取付け排水吸水孔面部分を広くし拡散式にて吸着力を和らげて危険性を無くす構造工法に関する。
【０００２】
本発明の説明基準としてＲＣ造にて説明を行うも多種多様構造としてセラミックス製及び鋼鈑製及び樹脂又はアルミ製等のユニット系にも適応利用とし、間接型空間を設けた吸着力分散パネル板取付け構造工法に関する。
【背景技術】
【０００３】
在来のプール滅菌循環式工法が用いられているが特公開平１１−３５０７６２号の中に排水口設備として符号5に排水口が敷設されているが吸水力に関しての危険防止策は明記されていない。
【０００４】
又実願登録第３００１２０１号の中に排水口設備として符号１７に排水口が敷設されているが吸水力に関しての危険防止策は明記されていない。
【０００５】
在来の循環排水口の集中吸着力を和らげて危険性を防止し、水泳人及び管理監視人に安心感を与える必要性が要求される。
【特許文献１】特開  平１１−３５０７６２号
【特許文献２】実願登録  ３００１２０１号
【発明の開示】
【発明が解決しようとする課題】
【０００６】
水泳プールの水は殺菌消毒液及び水泳人の汗等による汚れを管理するために溜水を循環方式にて洗浄構造が用いられており其の循環式構造の給水口に対して排水口が設置され、其の循環排水口が溜水の圧力により甚大な吸水力となり水泳人をも吸い込む力と成る場合が生じ危険性が懸念課題であった。
【０００７】
そこでプール溜水と排水穴口の循環パイプ直結構造を改良して間接的な構造とし、排水吸着力を和らげ危険性を無くす目的の必要課題が在った。
【課題を解決するための手段】
【０００８】
水泳プールとして小規模は幼児専用から大規模は国際級競技用迄多様な規模又は構造が採用され、規模により溜水圧に対する循環排水吸着力も多様化する、然し本発明の間接空間構造工法とすれば其の間接空間構造必要性規模により空間部分の規模も適度に対応する事が可能である、然し説明基準として中規模程度の長さ25m幅15m深さ1.2m程度とし、説明構造はＲＣ造とするも、実質として、セラミックス造及び鋼鈑及び樹脂又はアルミ製等のユニット系にも対応適用するものとし、プールの規模により排水口パイプの径と壁面開口部に設置するパネル板の開口孔は同面積径を最低確保するものとし、プールの規模によりパネル板の規模及び間接空間規模を対応調整するものとする。
【０００９】
すなわちプール構造は多種多様の構造が用いられているために構造用途に応じて各種構造に対応するものとし、間接空間構造工法を維持するものとし、構造的には排水吸着パネル部位と排水口パイプとの距離間隔が遠い程、又排水吸着パネル部分を広くし吸水孔を多くする程、又間接空間を広くする程、排水吸着パネル部の吸着力も危険性も緩和される、然し説明基準としてプール構造はＲＣ造にて規模は中学校設置程度として説明する。
【００１０】
排水口敷設箇所のプールの壁体下部に幅2m高さ60cmの鋼板パネルを中央部幅1mを無目とし、両端50cm幅にパンチング式孔を施し排水吸着口とし、排水パイプ迄の間接空間距離を最低50cm外部に離れた処に設けて吸水吸着力を和らげる構造とし循環力性能は維持する。
【００１１】
上記0009に記載のパネルを厚み10mm以上とし、パンチング式孔径を20mm程とし、排水穴口パイプ径250mmの場合には160ヶ以上とし、外枠四面桟を幅100mm厚み36mmとし、径15mm長さ150mmのスリーブ式ボルトアンカーにて固定取付けとし、立て中桟3本を幅80mm厚み30mm以上とし、縦横間隔30cm程度の平頭ネジ釘径10mm長60mmにてパネルを脱着式固定とし、鋼材は全面熱押形鋼防錆処理品使用とする。
【発明の効果】
【００１２】
壁面開口部に幅2m高さ60cmの両サイドに排水パイプの径以上の面積を有する吸水孔を加工したパネル板を設置し吸着力分散工法とし、吸水穴口パイプ迄の間接空間を設ける事により循環排水能力を維持確保しながら吸着力のみを和らげ水泳人の危険性を防止する事が出来るのに加えパネル脱着式に付き間接空間部の維持管理も可能である。
【発明を実施するための最良の形態】
【００１３】
本発明の実施例に付いて図面及び符号を見ながら説明する。
(符号数字の符号は省いて数字のみにて説明)
【実施例】
【００１４】
図１は水泳プールＲＣ造外周壁体の循環排水口部分を幅2m高さ60cmカットして排水吸着板を嵌め込んだ状況前面正面図にて、1はプール外周ＲＣ壁体内面部、2はプール底版上端、２bはプール底版下端、３は前面パネル板を取付ける上桟及び下桟を各４本にて固定するあと付けスリーブ式ボルトアンカー、４はプール外周壁面上端、５はプール溜水面上端、６は吸水パネル四週受け桟にて幅100mm厚36mmの上端面部桟、６bは6と同サイズの両横面部立桟、6cは６と同サイズの下端面部桟、7は幅80ｍｍ厚30mm以上のパネル板受け中桟、8は両サイド面部分に排水通過孔を加工した吸着パネル板、8bはパネルを受桟に脱着するネジボルト、9は排水通過加工孔にて径20mmとし排水パイプの面積以上とする。
図2は循環排水口間接空間部分を上部より見た平面断面図にて、1bはプール外周壁外面部、10は間接空間部底版上端、13は間接空間部両側面内壁部、13bは13の外壁面部、14は間接空間部奥壁面内壁部、14bは14の外壁面部、15は排水口パイプ、15bはプール溜水排水時最終誘導溝。
図3は間接空間部の内部横長方向断面図にて、10bは間接空間部底版土間下端面、16は15排水流入口パイプに固形物流入防止として取付ける鋼棒にて径21mm。
図4は間接空間部奥行き方向断面図にて、5bはプールサイド上端面、12は間接空間部天井壁下端面、12bは12の外部上端面。
図5は間接空間部にパネル取付け断面詳細説明図にて、3は排水吸着パネル受け外周桟6及び6b及び6cを外周ＲＣに取付けるための、あと付けスリーブ式ボルトアンカーにてスリーブ長150mmボルト径15mm、11は前面取付けパネル下部に詰めるコーキング。
【図面の簡単な説明】
【００１５】
【図１】循環排水吸着版前面正面図。
【図２】循環排水口間接空間部を上部より見た平面断面図。
【図３】循環排水口間接空間部の内部横長方向の断面図。
【図４】循環排水口間接空間部奥行き方向断面図。
【図５】上記図４記載の前面パネル取付け部分説明図。
【符号の説明】
【００１６】
1：RC造水泳プール外周壁内部面
1b：上記1記載の外部面
2：プール底面部上端面
2b：上記２記載の下端面
3：前面有孔加工パネル板受け外周桟を外周ＲＣ造に取付ける、あと付けスリーブ式ボルトアンカー
4：プール外周壁面上端
5：プールの満水時上端面
6：前面パネル板受け外周上桟
6ｂ：上記6記載の外周両横立桟
6c：上記6記載の外周下桟
7：前面パネル板受け中立て桟
8：前面排水吸着パネル
8b：上記8に記載のパネル板を脱着する際の平頭ネジボルト
9：前面パネル板に加工する吸水孔部分
10：間接空間部分の土間上端面部
10b：上記10記載の土間下端面部
11：前面パネル板の下部前面に詰めるコーキング
12：間接空間部分の天井下端面部
12b：上記12記載の上端面部
13：間接空間部分の両側壁内面部
13b：上記13記載の外面部
14：間接空間部分の奥壁内面部
14b：上記14記載の外面部
15：排水穴口取付け排水パイプ
15b：プール溜水排水時最終誘導溝
16：排水穴口パイプに固形物流入防止鋼棒
【図１】
2008303560.tif 000003
【図２】
2008303560.tif 000004
【図３】
2008303560.tif 000005
【図４】
2008303560.tif 000006
【図５】
2008303560.tif 000007
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
水泳プールの循環排水穴口にての集中排水力の緩和を目的として排水口を含む様にして所定の深さを有する開口部を施し、前記開口部の中央下部位置に排水穴口を施し、前記開口部に中央部を無目とし、左右両端部位に複数個の通水吸水孔を分散配置した、通水吸着力を緩和するパネル板を設置し、前記パネル板と前記排水口との間に空間を有する様に設置した事を特徴とするプール循環排水分散構造。
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
水泳プールの循環排水穴口にての集中排水力の緩和を目的として排水穴口を含む様にして所定の深さを有する開口部を施し、前記開口部を間接空間部とし中央下部位置に排水穴口を施し、前記開口部の前面部位に中央部を無目とし、左右両端部位に複数個の排水通過孔を分散配置した、排水通過力を緩和するパネルを設置し、前記パネルと前記排水穴口との間に間接空間を有する様に設置した事を特徴とするプール循環排水分散構造。
【手続補正２】
【補正対象書類名】明細書
【補正対象項目名】０００１
【補正方法】変更
【補正の内容】
【０００１】
在来水泳プールの循環排水目的として集中的に小範囲にて排水口を設けるために排水通過力が強力なために危険性が社会的に大きな問題と成っているのを解決する目的として排水穴口パイプに直結排水構造を避けて間接空間を設置して溜水部と排水穴口との間にある程度の距離を設ける目的として、プール壁面に排水通過力を分散目的とした開口部を設け、前記開口部に排水通過孔を加工したパネルを取付け排水通過孔面積部分を排水穴口よりも少し広くして拡散式にて吸水力を和らげて危険性を無くす構造に関する。
【手続補正３】
【補正対象書類名】明細書
【補正対象項目名】０００２
【補正方法】変更
【補正の内容】
【０００２】
本発明の説明基準としてＲＣ造にて説明を行うも多種多様構造としてセラミックス製及び鋼板製及び樹脂又はアルミ製等のユニット系にも適応利用とし、間接型空間を設けた通水通過力分散パネル取付け構造に関する。
【手続補正４】
【補正対象書類名】明細書
【補正対象項目名】０００８
【補正方法】変更
【補正の内容】
【０００８】
水泳プールとして小規模は幼児専用から大規模は國際級競技用迄多様な規模又は構造が採用され、規模により溜水圧に対する循環排水通過力も多様化する、然し本発明の間接空間構造とすれば前記の間接空間構造必要性規模により間接空間部分の規模も適度に対応する事が可能である、然し説明基準として中規模程度の長さ25m幅15m深さ1.2m程度とし、説明構造はＲＣ造とするも、実質として、セラミックス造及び鋼板及び樹脂又はアルミ製等のユニット系にも対応適用するものとし、プールの規模により排水口パイプの径と壁面開口部に設置するパネルの開口孔は同面積径を最低確保するものとし、プールの規模によりパネルの規模及び間接空間規模を対応調整するものとする。
【手続補正５】
【補正対象書類名】明細書
【補正対象項目名】０００９
【補正方法】変更
【補正の内容】
【０００９】
すなわちプール構造は多種多様の構造が用いられているために構造用途に応じて多種構造に対応するものとし、間接空間構造を維持するものとし、構造的には排水通過パネル部位と排水口パイプとの距離間隔が遠い程、又排水通過パネル部分を広くし吸水孔を多くする程、又間接空間を広くする程、排水通過パネル部分の吸水力も危険性も緩和される、然し説明基準としてプール構造はＲＣ造にて規模は中学校設置程度として説明する。
【手続補正６】
【補正対象書類名】明細書
【補正対象項目名】００１０
【補正方法】変更
【補正の内容】
【００１０】
排水口敷設箇所のプールの壁体下部に幅２mの高さ60cmの鋼板パネルを中央部幅１mを無目とし、両端50cm幅にパンチング式孔を施し排水通過口とし、排水パイプ迄の間接空間距離を最低50cm外部に離れた処に設けて通水力を和らげる構造とし循環力性能は維持する。
【手続補正７】
【補正対象書類名】明細書
【補正対象項目名】００１４
【補正方法】変更
【補正の内容】
【００１４】
図１は水泳プールＲＣ造外周壁体の循環排水口部分を幅２m高さ60cmカットして排水通過パネルを嵌め込んだ状況前面正面図にて、１はプール外周ＲＣ壁体内面部、２はプール底版上端、２bはプール底版下端、３は前面パネルを取付ける上桟及び下桟を各４本にて固定するあと付けスリーブ式ボルトアンカー、４はブール外周壁面上端、５はプール溜水面上端、６は通水パネル四週受桟にて幅100mm厚36mmの上端面部桟、６bは６と同サイズの両横面部立桟、６cは６と同サイズの下端面部桟、７は幅80mm厚30mm以上のパネル受け中桟、８は両サイド面部分に排水通過孔を加工したパネル、８bはパネルを受桟に脱着するネジボルト、９は排水通過孔にて径20mmとし合計排水パイプの面積以上とする。
図２は循環排水口間接空間部分を上部より見た平面断面図にて、１bはプール外周壁外面部、10は間接空間部底版上端、13は間接空間部両側面内壁部、13bは13の外壁面部、14は間接空間部奥壁面内壁部、14bは14の外壁面部、15は排水口パイプ、15bはプール溜水排水時最終誘導溝。
図３は間接空間部の内部横長方向断面図にて、10bは間接空間部底版土間下端面、16は15排水流水口パイプに固形物流入防止として取付ける鋼棒にて径21mm。
図４は間接空間部奥行き方向断面図にて、５bはプールサイド上端面、12は間接空間部天井壁下端面、12bは12の外部上端面。
図５は間接空間部前面にパネル取付け断面詳細説明図にて、３は排水通過パネル受け外周桟６及び６b及び６cを外周ＲＣに取付けるための、あと付けスリーブ式ボルトアンカーにてスリーブ長150mmボルト径15mm、11は前面取付けパネル下部に詰めるコーキング。
【手続補正８】
【補正対象書類名】明細書
【補正対象項目名】００１５
【補正方法】変更
【補正の内容】
【００１５】
【図１】循環排水通過パネル前面正面図。
【図２】循環排水口間接空間部を上部より見た平面断面図。
【図３】循環排水口間接空間部の内部横長方向の断面図。
【図４】循環排水口間接空間部奥行き方向断面図。
【図５】上記４記載の前面パネル取付け部分説明断面図。
【手続補正９】
【補正対象書類名】明細書
【補正対象項目名】００１６
【補正方法】変更
【補正の内容】
【００１６】
１：ＲＣ造水泳プール外周壁内面部
1b：上部１記載の外部面
２：プール底面部上端面
2b：上端２記載の下端面
３：前面有孔加工パネル受け外周桟を外周ＲＣ造に取付ける、あと付けスリーブ式ボルトア
ンカー
４：プール外周壁面上端
５：ブールの満水時上端面
６：前面パネル受け外周上桟
6b：上記６記載の外周両横立桟
6c：上記６記載の外周下桟
７：前面パネル受け中立桟
８：前面排水通過孔パネル
8b：上記８に記載のパネルを脱着する際の平頭ネジボルト
９：前面パネルに加工する排水通過孔部分
10：間接空間部分の土間上端面部
10b：上記10記載の土間下端面部
11：前面パネルの下部前面に詰めるコーキング
12：間接空間部分の天井下端面部
12b：上記12記載の上端面部
13：間接空間部の両側壁内面部
13b：上記13記載の外面部
14：間接空間部の奥壁内面部
14b：上記14記載の外面部
15：排水穴口取付け排水パイプ
15b：ブール溜水排水時最終誘導溝
16：排水穴口パイプに固形物流入防止鋼棒